(57)【要約】      （修正有）【課題】釘を同じ方向に差し込んで位置を固定して排列させることで、使用者が取り出しやすくなり利便性が高くなる釘排列カバー構造を提供する。【解決手段】釘の尖った先端を差し込んで排列して固定するために、一端が開口３１１を備えるとともに他端が密封された複数の釘カバー３１を、開口３１１が同じ方向を向くように並列させて組み合わせてなる。また、各釘カバー３１の開口３１１の高さを等間隔で変えることで階段状釘排列カバーを形成させることも、斜めに向けて並列し開口３１１を水平横向きに揃えた斜め向き釘排列カバーを形成させることもできる。また、隣接する二つの釘カバー３１の間は連結片で連結され、各釘カバー３１の開口３１１の一側には、連通して抜き出しに便利な割れ目が凹設され、或いは、密封端に少なくとも一つの貼付溝が設けられ、釘と一緒に用いて、壁に貼り付けて固定する安全ヤモリ釘カバー３１の統合構造設計にすることができる。【選択図】図２
0003183025.tif 000002
【実用新案登録請求の範囲】
【請求項１】
釘の尖った先端を差し込んで覆って収納するために、一端が開口を備えるとともに他端が密封された複数の釘カバーを、開口が同じ方向を向くように並列させて組み合わせてなることを特徴とする、釘排列カバー構造。
【請求項２】
各釘カバーの開口の一側には、連通し抜き出しに便利な割れ目が凹設されることを特徴とする、請求項１に記載の釘排列カバー構造。
【請求項３】
各釘カバーの密封端の外壁に少なくとも一つの貼付溝を設けることで、ヤモリ釘カバー構造が形成されることを特徴とする、請求項１に記載の釘排列カバー構造。
【請求項４】
各釘カバーの外壁には、さらに、貼り付け固定を強化する翼状突起部が凸設されることを特徴とする、請求項３に記載の釘排列カバー構造。
【請求項５】
隣接する二つの釘カバーの間は連結片で連結されることを特徴とする、請求項１から請求項４のいずれかに記載の釘排列カバー構造。
【請求項６】
連結片は薄片構造であることを特徴とする、請求項５に記載の釘排列カバー構造。
【請求項７】
連結片には、折り線が設けられることを特徴とする、請求項５に記載の釘排列カバー構造。
【考案の詳細な説明】
【技術分野】
【０００１】
本考案は、釘カバーで尖った先端を覆って位置を固定しつつ並列に排列することで、取り出す際に怪我をせず、繰り返し収納するのに便利である釘排列カバーの新しい構造に関する。
【背景技術】
【０００２】
図１は、現在市場でよく見られるケース詰めの鉄釘の概略図である。これは、ケース１０内に、たくさんの釘２０が横向きや縦向きにばらばらにして放り込まれ、さらに蓋をした後に売り出される。図１に示すようなケース詰めの鉄釘は、各釘２０がばらばらにして放り込まれており、消費者が取り出す際に非常にやっかいである。このように、使用する際にかなり不便である点が、欠点の一つである。
【０００３】
また、ケース１０内に縦横に放り込まれた各釘２０の、むき出しになった尖った先端もばらばらに交差していて危険な排列になっており、取り出す際に気を付けないと、交差した尖った先端で怪我をしてしまう。このように、使用上の危険性が高いことが、二つ目の欠点である。
【０００４】
また、現在市場に売られている、釘と一緒に用い、所定の固定物に貼り付けて固定して使用するヤモリ釘カバーは、一般的に釘と分けて売られており、使用したい時に釘があるのに釘カバーがなかったり、釘カバーがあるのに釘がなかったりすることがよくあり、使用するのに不便である。しかも、釘を取り出す時も、前述したように刺さって怪我をする危険性を避けることができない。
【０００５】
従って、従来のばらばらにケースに放り込まれた釘、及び、統合できないヤモリ釘の、けがをしやすく取り出しに不便であるといった欠点を改良することが、本考案で解決したい課題である。
【考案の概要】
【考案が解決しようとする課題】
【０００６】
そこで、本考案は、釘を同じ方向に差し込んで位置を固定して排列させることで、使用者が取り出しやすくなり利便性が高くなる釘排列カバー構造を提供することを目的とする。
【０００７】
また、本考案は、釘の尖った先端を覆って収納することで、釘の尖った先端を保護し、取り出す時に刺さって怪我をするのを避けることができ、使用上の安全性が高くなる釘排列カバー構造を提供することを目的とする。
【０００８】
また、本考案は、釘排列カバーの各カバーの一部を折ってバラバラに使用することができる上、使い終わっていない釘を再び釘カバーに収容して、繰り返し使用することが可能な釘排列カバー構造を提供することを目的とする。
【０００９】
また、本考案は、釘と一緒に用いて、壁に貼り付けて固定することができるヤモリ釘カバーの統合構造設計を備える釘排列カバー構造を提供することを目的とする。
【課題を解決するための手段】
【００１０】
上述の目的を達成するために、本考案は、一端が開口を備えるとともに他端が密封された複数の釘カバーを、開口が同じ方向を向くように並列させて組み合わせてなることで、釘の尖った先端を差し込んで覆って収納することができる釘排列カバーである。
【００１１】
上述の内容を受け、各釘カバーが斜めに向けて並列に排列され、各釘カバーの開口が水平横向きに揃えられた、斜め向き釘排列カバーである。
【００１２】
上述の内容を受け、各釘カバーが縦垂直方向に並列に排列され、各開口の高さが等間隔で異なる階段状釘排列カバーである。
【００１３】
上述の内容を受け、隣接する二つの釘カバーの間は連結片で連結され、各連結片には、さらに、少なくとも一つの補強部が横向きに設けられ、二つの釘カバーの連結を補強する。
【００１４】
上述の内容を受け、釘排列カバーの材質は、軟質・硬質高分子材料からなる。
【００１５】
上述の内容を受け、各釘カバーの開口の一側には、連通して抜き出すのに便利な割れ目が凹設される。
【００１６】
上述の内容を受け、釘カバーは、複数の様々な大きさに環状に排列され且つ同心状に排列された環状の輪であり、内外の環の各釘カバーの間は、連結片で連結される。
【００１７】
上述の内容を受け、各釘カバーの開口の一側には、連通して抜き出すのに便利な割れ目が凹設される。
【００１８】
上述の内容を受け、各釘カバーの開口端には二段階カバー孔が形成され、密封端の外壁には、少なくとも一つの貼付溝が設けられる。
【００１９】
上述の内容を受け、各釘カバーの外壁には、更に、貼り付け固定を強化する翼状突起部が凸設される。
【００２０】
上述の内容を受け、釘カバーの外壁の貼付溝は、逆Ｕ状貼付溝であり、それにより、外壁の切断片は外に開いて翼状突起部を形成する。
【００２１】
上述の内容を受け、釘排列カバーは、軟質・硬質高分子材料からなる。
【図面の簡単な説明】
【００２２】
【図１】従来の釘排列カバー構造を示した概略図である。
【図２】本考案の斜視図である。
【図２−Ａ】本考案の斜視図である。
【図２−Ｂ】本考案の斜視図である。
【図３】本考案の斜め向き釘排列カバーの使用を示した説明図である。
【図３−Ａ】斜め向き釘排列カバーの使用した状態の断面図である。
【図４】本考案の階段状釘排列カバーの使用を示した説明図である。
【図４−Ａ】階段状釘排列カバーの使用した状態の断面図である。
【図５】本考案の構造の応用設計を示した概略図である。
【図５−Ａ】本考案の連結片に補強部を設けた状態を示した概略図である。
【図５−Ｂ】本考案の連結片に補強部を設けた状態を示した概略図である。
【図６】本考案の構造の実施例２の構造を示した説明図である。
【図７】本考案の構造の実施例３の構造を示した説明図である。
【図８】本考案を渦巻き状にした形態を示した概略図である。
【図９】本考案を往復させて重ねた形態を示した概略図である。
【図１０】本考案の構造の実施例４の構造を示した説明図である。
【図１０−Ａ】本考案の異なる貼付溝を示した説明図である。
【図１０−Ｂ】本考案の異なる貼付溝を示した説明図である。
【図１１】本考案の実施例４の応用構造を示した説明図である。
【図１２】本考案の実施例４の使用を示した説明図である。
【図１２−Ａ】本考案の実施例４の使用を示した説明図である。
【考案を実施するための形態】
【００２３】
以下に、図を参照しながら具体的な実施例を挙げて、本考案の構造の内容及びそれが達成できる機能と効果について、詳細に説明を行う。
【００２４】
（実施例１）
図２は、本考案の斜視図である。本考案は、一端が開口３１１を備えるとともに他端が密封された複数の釘カバー３１を、開口３１１が同じ方向を向くように並列させて組み合わせてなることで、釘を差し込んで排列して固定することができる釘排列カバー３０である。なお、釘排列カバー３０は、軟質・硬質高分子材質からなる。
【００２５】
図２−Ａを参照する。図２−Ａは、各釘カバー３１が斜めに向けて並列に排列され、各釘カバー３１の開口３１１が水平横向きに揃えられた、斜め向き釘排列カバー３０Ａである。
【００２６】
図２−Ｂを参照する。図２−Ｂは、各釘カバー３１が縦垂直方向に並列に排列され、各開口３１１の高さが等間隔で異なる、階段状釘排列カバー３０Ｂである。
【００２７】
図３と図３−Ａは、斜め向き釘排列カバーの使用を示した説明図である。斜め向き釘排列カバー３０Ａの各釘カバー３１は、釘２０の尖った先端２１を開口３１１から斜め向きに入れて収納させることができ、隣接した釘２０は傾斜して排列されて各釘頭２２が相互に交差せずに同じ方向に排列されるため、釘２０を取り出しやすくなる。また、釘２０の尖った先端２１を覆いつつ位置を固定して排列・収納することができるため、各釘２０の尖った先端２１を保護し、取り出した時に刺さって怪我するのを避けることができる。しかも、各釘カバー３１は、釘尖った先端２１の一部を覆うだけであるため、差し込んだ釘２０は抜き出してばらばらに使用することができ、また、再び、釘カバー３１に差し込んで収納して繰り返し使用することができる。
【００２８】
図４と図４−Ａは、階段状釘排列カバーの使用を示した説明図である。階段状釘排列カバー３０Ｂの各釘カバー３１は、釘２０の尖った先端２１をその開口３１１から縦方向に差し込んで収納することができ、隣接した釘３０の釘頭２２は階段状を形成して交差しない。また、釘２０の尖った先端２１を覆いつつ位置を固定して排列・収納することができるため、尖った先端２１を保護して安全に使用することができるとともに、繰り返し差し込んで収納することができる。
【００２９】
図５は、本考案の構造の応用設計を示した説明図である。本考案の釘排列カバー３０における隣接する二つの釘カバー３１の間は、連結片３２で連結される。連結片３２は、薄片構造にすることができ、或いは、連結片３２に折り線３４を設けることもでき、それにより、それぞれを折って使用することができる。また、図５−Ａに示すように、隣接する二つの釘カバー３１の間の連結片３２には、さらに、少なくとも一つの補強部３３を横向きに連結することができる。また、図５−Ｂに示すように、各釘カバー３１が長い構造の場合は、二つの釘カバー３１の間の連結片３２には、上下二本の横向きに並列に排列された補強部３３を設けて構造を補強することができる。
【００３０】
（実施例２）
図６に示すように、各釘カバー３１における開口３１１の一側には、連通する割れ目３１２が凹設され、それにより、釘カバー３１に、ネジ釘４０の尖った先端のネジ山段４１を差し込んで収納する時に、割れ目３１２から外へ抜き出して使用することができるとともに、繰り返し収納して使用することができる。
【００３１】
（実施例３）
図７に示すように、各釘カバー３１を環状に排列させることで複数の様々な大きさの環状釘カバー３０Ｃにすることができ、且つ同心状に排列させることができる。内外の環の各釘カバー３１の間も、連結片３２で連結することができる。
【００３２】
図８、図９は、本考案を渦巻き状にした形態を示した概略図である。本考案の連結片３２で連結して排列した各釘カバー３１は、らせん状に巻いて小さい材積の渦巻き状にすることができる。或いは、図９に示すように、往復させて重ねることで小さい材積に排列することができ、それにより、携帯・収納しやすくなる。
【００３３】
（実施例４）
図１０は、本考案の構造の実施例４の構造を示した説明図である。各釘カバー３１の密封端の外壁に、少なくとも一つの貼付溝３５を設けることで、釘２０を一緒に用いて壁に貼り付けて固定することができるヤモリ釘カバー構造にすることができる。図１０−Ａに示すように、貼付溝３５Ａをのこぎりの歯構造にすることもできるし、図１０−Ｂに示すように、貼付溝３５Ｂを逆Ｕ状構造にすることもできる。また、図１２に示すように、各釘カバー３１の開口３１１内に、二段階カバー孔３１３を形成させることができる。
【００３４】
図１１に示すように、連結片３２で連結された各釘カバー３１の外壁に、貼り付け固定を強化する翼状突起部３６が凸設される。翼状突起部３６は、釘カバー３１の外壁から突起して延伸させることもできるし、釘カバー３１の外壁の前記逆Ｕ状貼付溝３５Ｂの切断片から外へと開いて形成させることもできる。
【００３５】
図１２は、本考案の実施例４の構造の使用を示した説明図である。本考案の貼付溝３５が設けられた各釘カバー３１における開口３１１内に二段階カバー孔３１３が形成される。それにより、差し込まれたネジ釘４０が二段階カバー孔３１３へとさらにねじこまれた時、図１２−Ａに示すように、釘カバー３１を貼付溝３５から開いて固定することができるヤモリ釘カバー構造を形成させることができる。
【符号の説明】
【００３６】
（従来構造）
１０      釘排列カバー
１１      釘カバー
１１１    穿孔
（本考案）
２０      釘
２１      尖った先端
２２      釘頭
３０      釘排列カバー
３０Ａ    斜め向き釘排列カバー
３０Ｂ    階段状釘排列カバー
３０Ｃ    環状釘カバー
３１      釘カバー
３１１    開口
３１２    割れ目
３１３    二段階カバー孔
３２      連結片
３３      補強部
３４      折り線
３５      貼付溝
３５Ａ    のこぎりの歯貼付溝
３５Ｂ    逆Ｕ状貼付溝
３６      翼状突起部
４０      ネジ釘
４１      ネジ山段
【図１】
0003183025.tif 000003
【図２】
0003183025.tif 000004
【図２−Ａ】
0003183025.tif 000005
【図２−Ｂ】
0003183025.tif 000006
【図３】
0003183025.tif 000007
【図３−Ａ】
0003183025.tif 000008
【図４】
0003183025.tif 000009
【図４−Ａ】
0003183025.tif 000010
【図５】
0003183025.tif 000011
【図５−Ａ】
0003183025.tif 000012
【図５−Ｂ】
0003183025.tif 000013
【図６】
0003183025.tif 000014
【図７】
0003183025.tif 000015
【図８】
0003183025.tif 000016
【図９】
0003183025.tif 000017
【図１０】
0003183025.tif 000018
【図１０−Ａ】
0003183025.tif 000019
【図１０−Ｂ】
0003183025.tif 000020
【図１１】
0003183025.tif 000021
【図１２】
0003183025.tif 000022
【図１２−Ａ】
0003183025.tif 000023